(57)【要約】      （修正有）【課題】４コマからなるグリッド状の合成画像を用いて画像変化や動画を視認させる方法で、マスクシートを通して画像を見た時、マスクシート面にあるパターン画像の影が後背部の画像面に投影されることで画像全体が暗くなることのない画像変化表示用具を提供する。【解決手段】４コマからなるグリッド状の合成画像１の上に設けて使用するマスクシート３に表現されている遮蔽部５を、隣接する画像の一部が表出されるように均一に削減し、この処理を施したマスクシート３の使用によって、より明るい画像が表示され、画像変化や動画として視認されるようにして、画像変化表示用具を構成する。【選択図】図１
0003147315.tif 000002
【実用新案登録請求の範囲】
【請求項１】
４コマからなるグリッド状の合成画像１の上に設けて使用するマスクシート３に表現されている遮蔽部５を、隣接する画像の一部が表出されるように均一に削減し、この処理を施したマスクシート３の使用によって、より明るい画像が表示され、画像変化や動画として視認されることを特徴とする画像変化表示用具。
【請求項２】
４コマからなるグリッド状の合成画像１の上に設けて使用するマスクシート３に表現されている遮蔽部５を、隣接する画像の一部が表出されるように均一に削減し、さらに全ての透過部６の内角の部分に切込みを入れ、楔状の形に削減処理を施し、この処理を施したマスクシート３の使用によって、より明るい画像が表示され、画像変化や動画として視認されることを特徴とする画像変化表示用具。
【請求項３】
４コマからなるグリッド状の合成画像１の上に設けて使用するマスクシート３に表現されている遮蔽部５のパターンと、白黒反転させた図形やイラスト等を重ね合わせて表現したことを特徴とする請求項１、又は請求項２記載の画像変化表示用具。
【請求項４】
４コマからなるグリッド状の合成画像１の上に設けて使用するマスクシート３に表現されている透過部６の大きさを任意の種類に設定し、階調を利用して任意の図形等を表現させたことを特徴とする請求項１、又は請求項２記載の画像変化表示用具。
【請求項５】
４コマからなるグリッド状の合成画像１の上に設けて使用するマスクシート３に表現されている遮蔽部５の裏面に任意の文字や図形、写真等を表現させたことを特徴とする請求項１、又は請求項２記載の画像変化表示用具。
【考案の詳細な説明】
【技術分野】
【０００１】  本考案は、４コマからなるグリッド状の合成画像を利用して画像変化や動画を視認する表示用具に関するものである。
【背景技術】
【０００２】  従来の４コマからなるグリッド状の合成画像１を利用した画像変化表示の技術では、図２１で示すような画像変化表示方法が知られている。また次のような記述があるので概要を示す。【０００３】  四種類の画像を基に作成されたグリッド状の合成画像１を配置した合成画像シート２の上部に、透過部と遮蔽部を有するマスクシート３を設ける。また、マスクシート３の移動の方向および範囲を規制するストッパー２１を設け、マスクシート３の移動によって四種類の画像変化を得られる。さらに四つの連続画像を用いることにより、表示される画像は、四コマの動画として視認される。（例えば、特許文献１参照）【０００４】  以下、この画像変化表示におけるグリッド状の合成画像の作成工程の概要を図とともに示す。図２２は、第一工程として用意する同じ大きさの連続する四種類の原画像。図２３は、第二工程として全ての画像に田の字状四マスのユニットで構成された四種類の分割画像。図２４は、第三工程として田の字状四マスのそれぞれ四分の一ずつのマスを規則正しく残した四種類の間引き画像。図２５は、第三工程で作成された四種類の間引き画像を合成して新たに作成された一枚の合成画像１である。【０００５】  次に、合成画像１に対応するマスクシート３の作成工程を以下に示す。合成画像１を作成の際に用いられた田の字状四マスのうち、任意の一マスを透過状態、残りの三マスを遮蔽状態としたものを最小単位とし、これらを縦横に必要数だけを配列して完成する。具体的な実現方法としては、透明樹脂素材に遮蔽性のある素材の塗布加工、不透明素材に穿孔して透過部を得る方法等がある。図２６はマスクシート３の原理を示すものである。【０００６】  実施例の一例を紹介する。合成画像シート２の上部に対応するマスクシート３を設け、スライド移動によって画像の変化が得られる。原画像に連続画を用いることにより視覚的残像効果と相俟って、動画表現が視認できる。動画を再現するために、移動する範囲を一マスに限定したり、全方位に可動できる方法を取り入れた用具や装置が考えられる。具体的な実施例として動く絵本がある。【０００７】
【特許文献１】  特開平１１−３２７４７９号公報
【考案の開示】
【考案が解決しようとする課題】
【０００８】  以上に述べた従来の表示方法では、自然光でマスクシート３を通して画像を見た時、画像面とマスクシート３の間に僅かな間隙が生じた場合、マスクシート３に配置された遮蔽マスク４自体の影が後背部の画像面に投影され、表示される画像全体が暗くなってしまい面白さが半減してしまうという問題点があった。つまり、画像全体の４分の３の面積が暗色の遮蔽マスク４で覆われている上に、さらにそれによって生じる影の影響で暗くなって見えるのである。特にマスクパターンのピッチが狭くなるにしたがって、暗くなる度合いは著しい。【０００９】  また、マスクシート素材に厚みがある場合、厚さの影響により、見る角度によっては画像表示している透過部６への視野がさえぎられ、さらに厚みが要因となって生じる影が画面を暗くさせていたという問題もあった。【００１０】  本考案は、このような従来の方法が有していた問題を解決しようとするものであり、面白みのある画像変化や動画表示をより明るい状態で視認できるようにし、また、従来に無かった驚きや楽しさを増大させることを目的とするものである。
【課題を解決するための手段】
【００１１】  本考案は上記目的を達成するために、４コマからなるグリッド状の合成画像１の上に設けて使用するマスクシート３に表現されている遮蔽部５を、隣接する画像の一部が表出されるように均一に削減し、この削減処理を施したマスクシート３を得る。そして、より明るい状態での画像変化や動画を視認できるこのマスクシート３からなる画像変化表示用具を使用することにより問題点を解決するものである。【００１２】  第２の課題解決手段は、マスクシート３に表現されている遮蔽部５に均一な削減処理を施した後、さらにマスクシート３に表現されている全ての透過部６の内角の部分に切込みを入れ、楔状の形に削減処理を施したシートの使用によるものである。【００１３】  第３の課題解決手段は、マスクシート３に表現されている遮蔽部５のパターンと白黒反転させた図形やイラスト等を重ね合わせて表現したシートの使用によるものである。【００１４】  第４の課題解決手段は、マスクシート３に表現されている透過部６の大きさを任意の種類に設定し、階調を利用して任意の図形等を表現させたシートの使用によるものである。【００１５】  第５の課題解決手段は、マスクシート３に表現されている遮蔽部５の裏面に任意の文字や図形、写真等を表現させたシートの使用によるものである。【００１６】  上述の第１の課題解決手段による作用は次の通りである。従来の表現方法では、マスクの遮蔽部分が全体の４分の３の面積を占めていることは、必然的なことと考えられていた。しかし、暗色で覆っているマスクそのものが、すでに全体を暗くしている要因にもなっていたのである。そこで、この遮蔽部５を削り、遮蔽している面積を少なくし、遮蔽マスクそのものを明るくさせる方法をとった。図９は従来の遮蔽マスク４の部分拡大図、図１０は合成画像１の上に遮蔽マスク４を配置した状態を示す。図１１は本考案の遮蔽マスクＡ８の部分拡大図、図１２は合成画像１の上に遮蔽マスクＡ８を配置した状態を示す。【００１７】  第２の課題解決手段による作用は次の通りである。上記の方法で遮蔽部５を削り取った後、さらに遮蔽マスクＡ８に表現されている全ての透過部６の内角の部分に切込みを入れ、楔状の形に削減処理を施す。この削減処理によって一層画面全体を明るくすることができる。また、この処理は、マスクシート３を印刷等の方法で複製する場合に、直角部分に生じるインキの溜まりを防ぐ重要な加工処理であり、且つシャープな矩形の形を維持させるための方法でもある。なお、隣接する画像を表出させる透過部６の基本となる形は正方形であるが、角丸の矩形を用いた処理でも同等の効果が得られる。図１３は楔状の切込削減処理を施した遮蔽マスクＢ１０の部分拡大図、図１４は合成画像１の上に遮蔽マスクＢ１０を配置した状態を示す。【００１８】  第３の作用は、次の通りである。ネガ表現の画像の透明部分にマスクパターンを重ね合わせた状態は、遮蔽マスクの周囲が不透明になるので、額縁の中の作品のように周囲から遮断されたイメージができる。集中して画像を見つめられるようになるばかりでなく、インパクトのある視覚画像が得られる。図５は任意図形にマスクシートのパターンを重ね合わせた表現例である。【００１９】  第４の作用は、マスクシート３に表現されている遮蔽マスク４を印刷技術の面から捉え、写真製版の分解スクリーンと同じ概念であることに着目した。つまり、面積の４分の３を遮蔽しているユニットの集合体であるマスクシート３は、７５％の網点スクリーンと同じである。従ってマスクシート３の一部もしくは全体に階調を持たせた表現が可能となることが分った。具体的には、少ない階調での表現から多段階の階調を使用した表現まで広範囲に対応できる。図６は２段階の階調を使用して表現した図形の例である。【００２０】  第５の作用は、次の通りである。遮蔽マスクＡ８のほぼ４分の３の面積割合は、視覚表現をするのに充分なスペースで、多くの情報量が確保できる。また、マスクシート３は表裏が利用可能なので、それぞれ独立した機能を生かすことができる。つまり、表裏に違った表現処理が可能である。おもて面は従来通りのマスクシート３としての機能を維持させながら、おもて面の遮蔽マスクＡ８と同位置の裏面に印刷などが可能なので新たな表現が加えられる。文字や図形、写真などをはめ込んで幅広い表現ができるので、広告表現のスペースとして有効である。図７は、任意図形画像の表現例である。
【考案の効果】
【００２１】  本考案は、以上説明したような形態で実施され、次に記載する効果を奏する。【００２２】  請求項１の用具においては、マスクシート３の遮蔽部５を隣り合う画像の一部を表出させるように削り取ったことにより、遮蔽マスクＡ８の面積が縮小された。また、合成画像１の上に投影される影も比例して軽減された。この二つの作用が表示される画像を明るくさせる大きな要因となった。また、残像効果をより発揮させ滑らかな動画を表示できるようになった。また、従来は言わば暗がりで物を見ている状態で、デリケートな色彩表現は困難であった。特にマスクパターンのピッチが狭い程、削減処理の効果は大きい。また、作成条件にも柔軟性が出てきたので対応する表現方法が増えた。さらに平面表現の場に限らず、合成画像１とマスクシート３の間に空間を持たせた空間表現の場においても、同等な効果を発揮する。【００２３】  請求項２の用具においては、切込み部分の削減によりマスクシート３の遮蔽部５の面積がさらに減少して、マスクシート３自体の明るさが増したばかりでなく、合成画像１の上に投影される影も呼応して軽減された。さらに、楔状の形の削減処理はマスクシート３の印刷複製時に次の効果を発揮する。つまり印刷時において、遮蔽部５の版に存在する内角の部分に付着するインキの溜まりを極力少なくさせる役割を果たすのである。従って明瞭な原版を再現したマスクシート３が得られるのである。【００２４】  請求項３の用具においては、単純なパターンのみのマスクシート３と違い、ある特定の形が表現されていることで、利用者には表現イメージが先に伝達される。そのフィルムを通して合成画像を見ることにより、さらに複合してイメージが加味される。特に、色彩が変化する合成画像を用いると、オーロラの色の変化を見ているような効果が得られる。【００２５】  請求項４の用具においては、マスクシート３のパターン部分そのものに特定の情報やメッセージが表示されるので、新たな驚きを伴うものである。なお具体的な画像として、文字、図形イラスト、写真等を取り入れることができるので、視覚伝達効果が大きい。【００２６】  請求項５の用具においては、一枚のシートの表裏に異なる情報を表現できるので、広範囲な分野で使用が見込まれる。また意外性があるので、遊技性のある用品に展開すると効果を発揮する。広告展開に使用すれば、充分なスペースを効果的に活かすことができる。
【考案を実施するための最良の形態】
【００２７】  図１は本考案の表示用具の全体斜視図である。以下、本考案の実施の形態について図面を参照して説明する。特に本考案の特徴を表すため、細密な個所については図２５の合成画像の一部を拡大した図８の合成画像を雛形として用いる。図１１はマスクシート３に表現する遮蔽マスクＡ８の平面図で、請求項１の内容を反映させたものである。図８上に配置した場合の表示画像Ｂを図１２に見ることができる。図１３はマスクシート３に表現する遮蔽マスクＢ１０の平面図で、請求項２の内容を反映させたものである。図８上に配置した場合の表示画像Ｃを図１４に見ることができる。【００２８】  以下、図８の合成画像と図１１の本考案の遮蔽マスクとの組合せで、使用時の表示の状態を図示する。図１２、図１５、図１６、図１７は４個所の地点での表示画像を示し、図１８、図１９はそれぞれの移動中間地点の表示画像を示す。図２０は、図１２と図１５の中間地、且つ図１２と図１６の中間地点における表示画像を示している。以上説明した図面全体を通して、どの地点においても遮蔽マスクＡ８の透過部６から表示画像と隣接している画像の一部が表出しているのが確認できる。【００２９】  図１０は、従来の遮蔽マスク４を図８の上に配置した場合の画像表示であるが、あくまでも透過部の真上から垂直に見た理論上の表示画像であって、実際にこのような画像は得られない。これまで述べてきたように、マスクシートの厚みや、合成画像との隙間、視野角の問題等多くの要因で表示画面が暗くなっていたのである。そこで本考案の遮蔽部５の削減処理を施したマスクシート３の使用によって問題が解消され、より明るい画像が表示でき、画像変化や滑らかな動画が視認されるようになった。また制作表現面においても自由度が拡がったので、従来のストッパー２１構造がなくても表現に支障はなくなった。用途や利用分野は、書籍、文具、雑貨、玩具、室内用品、装飾展示などがあり、視覚的効果を必要とする多くの環境での使用が大いに期待できる。【００３０】  マスクシート３に表現する遮蔽マスクＡ８の具体的な実現方法としては、透明樹脂素材に遮蔽性のある素材の塗布加工、不透明素材に穿孔して透過部を得る方法、さらに、長尺の部材を用意して縦横に配置したり、網状加工が可能な素材を使用してグリッド状のパターンを得る方法がある。【００３１】  また、図示されてはいないが、合成画像シート２の背面部に採光性のある素材を使用することで、いっそう画像表示を明るくすることが可能である。さらに、平面以外の立体や空間での表現も通常とは異なる効果を生むことができる。
【実施例１】
【００３２】  本考案の用具を使用した用品の実施例をとりあげる。まず、視覚効果を多く取り入れた絵本または教材がある。これは、マスクシート３の保持具を使わないシンプルな構成である。また、マスクシート３の保持具として単数もしくは複数のビスを使用したものとして、しおりやグリーティングカードなどがある。さらに、リング式ノートやバインダー形式のファイリング用品などに展開する。小さなスペースで実施する場合、マスクシート３のパターンピッチを細かくする必要が生じるが、特にこのような状況の時に、本考案の請求項１、請求項２の技術的効果が大いに発揮される。
【実施例２】
【００３３】  シート状のマスクを立体的な形にして応用した、請求項３の実施例を紹介する。例えば、手のひらサイズの厚みのある透明アクリル樹脂を用意し、片面にマスクシートの画像を配置する。ペーパーウエイトのような文具用品や、パズルゲームの駒のように移動させて遊ぶ遊技用品、また、合成画像を表現したテーブルクロスの上で使用するインテリア用品等、多方面に展開できる。単独で手に取っていたアクリルブロックを、対応する合成画像のトに置いた瞬間、その動きや変化に対する驚きは大変大きなものである。図５は任意図形にマスクシートのパターンを重ね合わせた表現例である。
【実施例３】
【００３４】  請求項４の技術を応用した実施例を説明する。図６はマスクシート３の透過部６を２段階のサイズを用いて円の図形を表現したものである。マスクシート３そのものが単体で視覚伝達の手段となる。モチーフとしてシンプルなイラストやメッセージ性のあるものを用いると効果的である。カードゲームなどの神秘性のイメージの強い用品に最適である。
【実施例４】
【００３５】  請求項５の技術を応用した例を紹介する。マスクシート３の表示面積の約４分の３を視覚表現のスペースとして使用でき、色彩表現も可能である。表裏の表現のギャップはインパクトがあり、利用者を驚かせるのに充分な効果がある。図７は、マスクシート３のパターン部分の裏面にドーナツ形状の図形を配置した例である。画像としてこの他に、イラストや写真等を使用してさまざまな表現ができる。また、広告の媒体としても有効である。
【図面の簡単な説明】
【００３６】
【図１】  本考案の画像変化表示用具の分解斜視図
【図２】  本考案の用具の実施の形態を示す平面図
【図３】  図２のＡ−Ａの断面図
【図４】  遮蔽マスクＡを配置した本考案のマスクシートの平面図
【図５】  任意図形にマスクシートのパターンを重ね合わせた表現例
【図６】  ２階調の表現処理を施した本考案のマスクシートの平面図
【図７】  図４の裏面の表示部分に表現された任意表現画像の平面図
【図８】  図２５の合成画像平面図の部分拡大図
【図９】  従来の遮蔽マスクの平面図の部分拡大図
【図１０】  図８上に配置された図９の遮蔽マスクの作用による表示画像Ａの平面図
【図１１】  図９の遮蔽部に削減処理を施した遮蔽マスクＡの平面図の部分拡大図
【図１２】  図８上に配置された遮蔽マスクＡの作用による表示画像Ｂ平面図
【図１３】  図１１に楔状の切込削減処理を施した遮蔽マスクＢの平面図の部分拡大図
【図１４】  図８上に配置された遮蔽マスクＢの作用による表示画像Ｃの平面図
【図１５】  本考案の遮蔽マスクＡの作用による表示画像Ｄの平面図
【図１６】  本考案の遮蔽マスクＡの作用による表示画像Ｅの平面図
【図１７】  本考案の遮蔽マスクＡの作用による表示画像Ｆの平面図
【図１８】  図１２〜図１５の移動中間地点における表示画像Ｇの平面図
【図１９】  図１２〜図１６の移動中間地点における表示画像Ｈの平面図
【図２０】  図１２〜図１５の中間地、且つ図１２〜図１６の中間地点における表示画像Ｉの平面図
【図２１】  従来の画像変化表示装置の分解斜視図
【図２２】  動画画像の４種類の原画像平面図
【図２３】  図２２の４種類の分割画像平面図
【図２４】  図２３の４種類の間引き画像平面図
【図２５】  図２４の４種類の間引き画像を合成させた一枚の合成画像平面図
【図２６】  図２５に対応するマスクシートの原理を示す平面図
【符号の説明】
【００３７】１  合成画像
２  合成画像シート
３  マスクシート
４  遮蔽マスク
５  遮蔽部
６  透過部
７  表示画像Ａ
８  遮蔽マスクＡ
９  表示画像Ｂ
１０  遮蔽マスクＢ
１１  楔状切込部
１２  表示画像Ｃ
１３  表示画像Ｄ
１４  表示画像Ｅ
１５  表示画像Ｆ
１６  表示画像Ｇ
１７  表示画像Ｈ
１８  表示画像Ｉ
１９  表示パターン
２０  任意表現画像
２１  ストッパー
２２  原画像Ａ
２３  原画像Ｂ
２４  原画像Ｃ
２５  原画像Ｄ
２６  分割画像Ａ
２７  分割画像Ｂ
２８  分割画像Ｃ
２９  分割画像Ｄ
３０  間引き画像Ａ
３１  間引き画像Ｂ
３２  間引き画像Ｃ
３３  間引き画像Ｄ
【図１】
0003147315.tif 000003
【図２】
0003147315.tif 000004
【図３】
0003147315.tif 000005
【図４】
0003147315.tif 000006
【図５】
0003147315.tif 000007
【図６】
0003147315.tif 000008
【図７】
0003147315.tif 000009
【図８】
0003147315.tif 000010
【図９】
0003147315.tif 000011
【図１０】
0003147315.tif 000012
【図１１】
0003147315.tif 000013
【図１２】
0003147315.tif 000014
【図１３】
0003147315.tif 000015
【図１４】
0003147315.tif 000016
【図１５】
0003147315.tif 000017
【図１６】
0003147315.tif 000018
【図１７】
0003147315.tif 000019
【図１８】
0003147315.tif 000020
【図１９】
0003147315.tif 000021
【図２０】
0003147315.tif 000022
【図２１】
0003147315.tif 000023
【図２２】
0003147315.tif 000024
【図２３】
0003147315.tif 000025
【図２４】
0003147315.tif 000026
【図２５】
0003147315.tif 000027
【図２６】
0003147315.tif 000028